(57)【特許請求の範囲】
【請求項１】
記録媒体を載置する載置部と、記録媒体を支持するチャッキング機構とを有する記録媒体駆動装置であって、
上記チャッキング機構には、上記記録媒体に設けられた孔を嵌合支持するチャックベースと、該チャックベースの半径方向に移動自在に設けられた３個以上のチャックフィンと、該チャックフィンの一部がチャックベースの外周面から突出するように弾発付勢する弾発部材とを設け、
上記弾発部材は、上記チャックベースに設けられ上記チャックフィンを上記チャックベースの半径方向に移動自在に配置した配置凹部の奥と上記チャックフィンとの間で縮設されると共に、一方の端部が上記チャックフィンに連結され、
上記記録媒体の孔が上記チャックベースに位置合せされた状態で上記載置部に近づくように移動されると、上記記録媒体の孔の下側開口縁が上記チャックフィンの被案内部の傾斜面に当接し、さらに、上記記録媒体が上記載置部に近づくと、上記チャックフィンの先端部が下方へ移動するように回動し上記記録媒体の孔の下側開口縁が上記チャックフィンの先端部を越えて上記記録媒体が上記載置部に当接する位置まで移動し、上記記録媒体が上記載置部に当接すると、上記チャックフィンは上記弾発部材の付勢力によって上記チャックフィンの先端部が上方へ移動するように回動し、上記チャックフィンの押え部の下面が上記記録媒体の孔の上側開口縁を押圧し上記記録媒体を上記載置部に押し付けてチャッキングが完了する
ことを特徴とする記録媒体駆動装置。
【請求項２】
上記弾発部材がコイルバネである
ことを特徴とする請求項１に記載の記録媒体駆動装置。
【請求項３】
上記弾発部材の上記一方の端部が、上記チャックフィンにインサート成形により埋設されている
ことを特徴とする請求項１に記載の記録媒体駆動装置。
【請求項４】
上記チャックフィンの押え部の下面の先端部が上記チャックベースの外周面から突出する位置に配置される
ことを特徴とする請求項１に記載の記録媒体駆動装置。
【発明の詳細な説明】
【０００１】
【発明の属する技術分野】
本発明は新規な記録媒体駆動装置に関する。詳しくは、記録媒体ディスクをそれを支持して回転させるターンテーブルに保持するためのチャッキング機構において、機構の小型化、特に、薄型化を図る技術に関する。
【０００２】
【従来の技術】
円板状をした記録媒体ディスクを回転させながら、該記録媒体ディスクについての情報の記録又は再生及びその双方を行なう記録再生装置において、記録媒体ディスクを回転させるためのターンテーブルに記録媒体ディスクを保持する、すなわち、チャッキングする機構に、図２８乃至図３０に示すようなものがある。
【０００３】
チャッキング機構ａは、図示しないスピンドルモータによって回転されるターンテーブルｂのディスク載置面ｃの中心部に厚手の円板状の外形を有するチャックベースｄを設け、該チャックベースｄに３個のチャックフィンｅ、ｅ、ｅをチャックベースｄの半径方向に移動自在に設けると共に、上記チャックフィンｅ、ｅ、ｅの一部がチャックベースｄの外周面から突出するように弾発付勢したものである。
【０００４】
すなわち、各チャックフィンｅは、それを配置するためにチャックベースｄにその外周面に開口するように形成された配置凹部ｆ内にチャックベースｄの半径方向に摺動自在に配置され、該チャックフィンｅと配置凹部ｆの奥面との間に縮設されたコイルバネｇによってその先端部がチャックベースｄの外周面から突出する方向に弾発付勢されている。
【０００５】
そして、上記コイルバネｇはその一端部がチャックフィンｅの後面に突設された嵌合ピンｈに外嵌され、また、他端部が配置凹部ｆの奥面に形成された嵌合凹部ｉに内嵌され、これによって、コイルバネｇの両端部の位置決めがなされ、動作中においてその両端部が所定の位置からずれてしまうことが無いようにされている。
【０００６】
そして、記録媒体ディスクのチャッキングは以下のようにして為される。
【０００７】
すなわち、記録媒体ディスクｊがその中心孔ｋがチャックベースｄに外嵌されるように、ターンテーブルｂに近づいて来て、その中心孔の開口縁部がチャックフィンｅ、ｅ、ｅの先端部の上側の傾斜面ｌ、ｌ、ｌに当接する（図２８参照）。
【０００８】
そこからさらに、記録媒体ディスクｊがディスク載置面ｃに近付くように移動すると、中心孔ｋの開口縁部がチャックフィンｅ、ｅ、ｅの上記傾斜面ｌ、ｌ、ｌを押圧するので、チャックフィンｅ、ｅ、ｅにはチャックベースｄ内へ引っ込む方向への移動力が付勢され、これによって、チャックフィンｅ、ｅ、ｅはコイルバネｇ、ｇ、ｇによる付勢力に抗して、チャックベースｄ内へ引っ込むように移動する（図２９参照）。
【０００９】
チャックフィンｅ、ｅ、ｅがチャックベースｄ内へ引っ込むように移動することによって、記録媒体ディスクｊはさらにディスク載置面ｃへと近付くことができ、記録媒体ディスクｊがディスク載置面ｃに載置されると、チャックフィンｅ、ｅ、ｅがコイルバネｇ、ｇ、ｇによって付勢されている移動力によってその先端部がチャックベースｄの外周面から突出し、その先端部下面の曲面ｍ、ｍ、ｍが記録媒体ディスクｊの中心孔ｋの開口縁部にディスク載置面ｃと反対側から弾接し（図３０参照）、これによって、記録媒体ディスクｊはディスク載置面ｃとチャックフィンｅ、ｅ、ｅとによって挟持された状態でチャッキングされる。
【００１０】
そして、記録媒体ディスクｊをターンテーブルｂから取り外す時は、記録媒体ディスクｊをディスク載置面ｃから離間する方向へ移動させる。すると、記録媒体ディスクｊの中心孔ｋの開口縁部がチャックフィンｅ、ｅ、ｅの下側の曲面ｍ、ｍ、ｍを押圧するので、チャックフィンｅ、ｅ、ｅは配置凹部ｆ、ｆ、ｆ内へ引っ込むように移動し、これによって、記録媒体ディスクｊはチャックフィンｅ、ｅ、ｅの位置を抜けてターンテーブルｂから取り外される。
【００１１】
【発明が解決しようとする課題】
ところで、上記した従来の記録媒体ディスクのチャッキング機構ａにあっては、コイルバネｇ、ｇ、ｇの一端部をチャックフィンｅ、ｅ、ｅに設けた嵌合ピンｈ、ｈ、ｈに外嵌させてチャックフィンｅ、ｅ、ｅと安定に結合させているので、コイルバネｇ、ｇ、ｇの径が大きくなってしまうという問題があった。
【００１２】
コイルバネｇ、ｇ、ｇの径が大きくなってしまうと、それを配置する空間、すなわち、配置凹部ｆ、ｆ、ｆを大きくしなければならず、従って、配置凹部ｆ、ｆ、ｆを設けるチャックベースｄの厚みが大きくなってしまい、その分、記録再生装置の厚み、すなわち、ターンテーブルの軸方向における大きさが大きくなってしまうという問題がある。
【００１３】
上記した問題を解決しようと、嵌合ピンｈ、ｈ、ｈを細くすることによって、これに外嵌されるコイルバネｇ、ｇ、ｇの径を小さくしようとすると、嵌合ピンｈ、ｈ、ｈの強度が低下してしまい、ちょっとしたストレスがかかっただけで、嵌合ピンｈ、ｈ、ｈが根元から折れてしまう惧れがある。
【００１４】
そこで、本発明記録媒体駆動装置は、構成部材に強度の弱い部分を作ること無しに、装置の小型化、特に、薄型化を可能とすることを課題とする。
【００１５】
【課題を解決するための手段】
本発明記録媒体駆動装置は、上記した課題を解決するために、記録媒体を載置する載置部と、記録媒体を支持するチャッキング機構とを有する記録媒体駆動装置であって、チャッキング機構には、記録媒体に設けられた孔を嵌合支持するチャックベースと、該チャックベースの半径方向に移動自在に設けられた３個以上のチャックフィンと、該チャックフィンの一部がチャックベースの外周面から突出するように弾発付勢する弾発部材とを設け、弾発部材は、チャックベースに設けられチャックフィンをチャックベースの半径方向に移動自在に配置した配置凹部の奥とチャックフィンとの間で縮設されると共に、一方の端部が上記チャックフィンに連結され、記録媒体の孔がチャックベースに位置合せされた状態で載置部に近づくように移動されると、記録媒体の孔の下側開口縁がチャックフィンの被案内部の傾斜面に当接し、さらに、記録媒体が載置部に近づくと、チャックフィンの先端部が下方へ移動するように回動し記録媒体の孔の下側開口縁がチャックフィンの先端部を越えて記録媒体が載置部に当接する位置まで移動し、記録媒体が載置部に当接すると、チャックフィンは弾発部材の付勢力によってチャックフィンの先端部が上方へ移動するように回動し、チャックフィンの押え部の下面が記録媒体の孔の上側開口縁を押圧し記録媒体を載置部に押し付けてチャッキングが完了するものである。
【００１６】
従って、本発明記録媒体駆動装置にあっては、弾発部材の外形を含め、装置の外形が大きくなることがなく、かつ、チャックフィンに構造的に弱くなる部分が生じることがない。また、弾発部材の一方の端部がチャックフィンに連結されているので、部品管理や組付の省力化が可能となりコストの低減に寄与する。
【００１９】
【発明の実施の形態】
以下に、本発明記録媒体駆動装置の実施の形態を添付図面を参照して説明する。
【００２０】
なお、図示した実施の形態は、本発明をノート型パーソナルコンピュータに搭載するＣＤ−ＲＯＭドライブにおけるＣＤ−ＲＯＭのチャッキング機構として適用したものである。
【００２１】
そこで、先ず、ＣＤ−ＲＯＭドライブの概要について図１乃至図３によって説明する。
【００２２】
ＣＤ−ＲＯＭドライブ１は上下に偏平で前面に開口した外筐２を備え、該外筐２は下側のボトムシャーシ３と該ボトムシャーシ３の上面に固定されたカバー体４とから成り、このような外筐２に引出部５が収納及び引出可能に支持される。
【００２３】
そして、ボトムシャーシ３の右側部には、底上げされた張り出し部３ａが形成されており、ボトムシャーシがカバー体４により覆われたときに、上記張り出し部３ａ以外の部分が空間６となって、トレイ７が収納されるようになっている。
【００２４】
引出部５は合成樹脂製のトレイ７にベースユニット８が支持されて成る。なお、図示は省略するが、引出部５の外筐に対する収納及び引出のために、引出部５の側面部と外筐２の側部との間にスライド機構が介挿されている。
【００２５】
トレイ７は平面形状で前後方向に長い長方形の外形を有し、その幅は外筐２の空間６の幅より僅かに小さく形成されている。
【００２６】
トレイ７の上面に記録媒体ディスクとしてのＣＤ−ＲＯＭ９を配置する円形の一部を為す凹部１０が形成され、該凹部１０内にベースユニット８を上方へ臨ませるための開口部１１が形成されている。
【００２７】
また、トレイ７の前面には前面パネル１２が取り付けられる。前面パネル１２は合成樹脂で横長の板状に形成され、その左右方向の長さは上記外筐２の左右方向の長さとほぼ同じになっている。
【００２８】
ベースユニット８は、シャーシ１３に各種部品が搭載されて構成されている。
【００２９】
すなわち、シャーシ１３には、ＣＤ−ＲＯＭ９が載置されるターンテーブル１４と、該ターンテーブル１４を回転させるスピンドルモータ１５と、ＣＤ−ＲＯＭ９に記録されている情報の読取を行う光ピックアップ１６と、該光ピックアップ１６をＣＤ−ＲＯＭ９の半径方向に移動自在に支持するガイド軸１７、１８と、光ピックアップ１６を移動させるスレッドモータ１９等が搭載されている。
【００３０】
シャーシ１３は、板金材料からなり、ゴムダンパー２０、２０、２０を介してトレイ７の下面に支持されている。
【００３１】
シャーシ１３にはそのほとんどを占める大きな開口部２１が形成されている。該開口部２１は左前から右後方に向けて延びるほぼ長方形状を為し、その後縁はほぼ左右方向に延びるように他の部分に対して傾斜したピックアップ用開口部２１ａと、該ピックアップ用開口部２１ａの後縁に連続しほぼ半円形を為すターンテーブル用開口部２１ｂと、ピックアップ用開口部２１ａの右前方を向いた側縁のほぼ中央部に連続しほぼ半円強の形状を為すスレッドモータ用開口部２１ｃとが連続して形成されて成る。
【００３２】
そして、上記したターンテーブル１４に本発明が適用されている。
【００３３】
図４乃至図１２は第１の実施の形態を示すものである。
【００３４】
ターンテーブル１００（上記ＣＤ−ＲＯＭドライブ１におけるターンテーブル１４に相当する。）のディスク載置面１０１の中心部に、厚手の円盤状の外形をしたチャックベース１１０が突設され、該チャックベース１１０の外周面１１１はターンテーブル１００の回転中心を中心とした円に沿う面とされている。
【００３５】
該チャックベース１１０には外周面１１１に開口し奥に延びる配置凹部１２０が周方向に等間隔に離間して３個形成されている。
【００３６】
配置凹部１２０は、下面に凸字状の開口を有し、該凸字状の奥の幅狭の部分１２１が下方及び前方に開口されたバネ受け凹部とされ、幅の広い部分１２２が主凹部とされ、該主凹部１２２の上面はそのほぼ中央の３分の１の部分１２２ａが上方へ開口された上方開口部とされ、該上方開口部１２２ａはチャックベース１１０の外周面１１１にまで達している。上記主凹部１２２の前側に連続した前凹部１２３は上記主凹部１２２の幅と同じ幅を有し、下方が下面壁１２３ａによって閉塞され、上記上方開口部１２２ａによって上方に開口し、その前面開口１２３ｂの形状は横長の矩形の底部の両側が側方に行くに従って上方へ変位する円弧状を為すようにされている。
【００３７】
上記の如き配置凹部１２０内にチャックフィン１３０が摺動自在に配置される。
【００３８】
チャックフィン１３０は正面、すなわち、チャックベース１１０の外周面１１１に向かう方向から見て横長の矩形をした厚手の板状を為す基部１３１と、該基部１３１から前方へ突出した押え部１３２と、上記基部１３１及び押え部１３２の上面の幅方向における中央部に前後に亘って突設されると共に基部１３１の後端よりやや後方まで突出した被案内部１３３と、上記基部１３１の下端部の中央部から後方へ突出した後部突起１３４とが一体に形成されて成る。
【００３９】
上記押え部１３２は、その上面１３２ａが上方から見て基部１３１から前方へ突出した半円状を為し、下面１３２ｂが側方から見て前方へ行くに従って上方へ変位する円弧状を、かつ、正面から見て中央が最下端に位置する円弧状を為し、その上面１３２ａは基部１３１の上面と一致し、基部１３１側の下端は基部１３１の下端よりやや上方に位置している。また、下面１３２ｂの前端縁及び左右両端縁は上面１３２ａと一致している。
【００４０】
上記被案内部１３３は、その幅が上記配置凹部１２０の上方開口部１２２ａの幅と同じか僅かに小さく形成され、前端部上面１３３ａは前下がりに傾斜した傾斜面とされ、その前端縁は上記押え部１３２の上面１３２ａに一致している。さらに、該被案内部１３３の後端部は上面から後面にかけて側方から見て円弧状を為す曲面１３３ｂに形成されている。
【００４１】
また、基部１３１の下端部はその下面から前面にかけて側方から見て円弧状を為す曲面１３１ａに形成され、さらに、基部１３１の上端部はその上面から後面にかけて側方から見て円弧状を為す曲面１３１ｂに形成されている。また、基部１３１の後面には位置決め凹部１３１ｃが形成されている。
【００４２】
しかして、上記したチャックフィン１３０がチャックベース１１０の配置凹部１２０内に移動自在に配設される。すなわち、基部１３１が主凹部１２２内において移動自在に配設され、押え部１３２が前凹部１２３を通してその先端部がチャックベース１１０の外周面１１１から突出するように位置され、被案内部１３３が上方開口部１２２ａに摺動自在に係合される。
【００４３】
さらに、弾発部材としてコイルバネ１４０が配置凹部１２０内において配置凹部１２０の奥面とチャックフィン１３０の基部１３１との間で縮設される。該コイルバネ１４０の一端部はチャックフィン１３０の基部１３１の位置決め凹部１３１ｃに内嵌状に位置され、他端部は配置凹部１２０のバネ受け凹部１２１内に内嵌状に位置され、これによって、コイルバネ１４０の両端部の位置が安定する。
【００４４】
しかして、チャックフィン１３０にはコイルバネ１４０によって配置凹部１２０から突出する方向への移動力が付勢され、チャックフィン１３０の同方向への移動は、基部１３１の前面が主凹部１２２の前凹部１２３との境界面、すなわち、前凹部１２３の下面壁１２３ａの主凹部１２２側の端面に当接することによって阻止され、この状態で、押え部１３２の先端部がチャックベース１１０の外周面１１１から突出する（図４参照）。
【００４５】
そして、上記したようにチャックフィン１３０、１３０、１３０及びコイルバネ１４０、１４０、１４０が各配置凹部１２０、１２０、１２０内に配置されたチャックベース１１０がターンテーブル１００のディスク載置面１０１の中心部に固定され、これによって、配置凹部１２０、１２０、１２０の下面が閉塞されて、チャックフィン１３０、１３０、１３０及びコイルバネ１４０、１４０、１４０の配置凹部１２０、１２０、１２０からの脱落が防止される。
【００４６】
次に、ＣＤ−ＲＯＭ９のチャッキングについて説明する。
【００４７】
ＣＤ−ＲＯＭ９がその中心孔９ａがチャックベース１１０に位置合せされた状態でターンテーブル１００のディスク載置面１０１に近づくように移動されてくると、中心孔９ａの開口縁がチャックフィン１３０、１３０、１３０の被案内部１３３、１３３、１３３の傾斜面１３３ａ、１３３ａ、１３３ａに当接する（図４参照）。
【００４８】
ここからさらに、ＣＤ−ＲＯＭ９がディスク載置面１０１に近づくように移動すると、チャックフィン１３０、１３０、１３０にはその先端部が下方へ移動する方向への回動力が付勢され、基部１３１の下端部が下面から前面にかけての曲面１３１ａ、１３１ａ、１３１ａになっていると共に、基部１３１の上端部が上面から後面にかけての曲面１３１ｂ、１３１ｂ、１３１ｂになっていることから、チャックフィン１３０、１３０、１３０は下側の曲面１３１ａ、１３１ａ、１３１ａがターンテーブル１００の上面を滑るようにして、また、上側の曲面が主凹部１２２の天井面を滑るようにしてコイルバネ１４０、１４０、１４０を圧縮しながらその前端部が下方へ移動するように回動し（図１１参照）、これによって、ＣＤ−ＲＯＭ９がディスク載置面１０１に当接する位置まで移動することができる。
【００４９】
従来のように、チャックフィンがチャックベース内に引っ込むように移動してＣＤ−ＲＯＭの通過を許容する場合は、ＣＤ−ＲＯＭの移動方向に対して直交する方向へチャックフィンを移動させることになり、力の伝達ロスが大きく、従って、ＣＤ−ＲＯＭを強い力でターンテーブルの方向へ移動させなければならないが、上記のように、チャックフィン１３０、１３０、１３０が回動してＣＤ−ＲＯＭ９の移動を許容するようにすることによって、より小さい力でＣＤ−ＲＯＭ９を移動させるだけで、ＣＤ−ＲＯＭ９をターンテーブル１００にチャッキングさせることができる。
【００５０】
そして、ＣＤ−ＲＯＭ９がターンテーブル１００のディスク載置面１０１に当接すると、チャックフィン１３０、１３０、１３０はコイルバネ１４０、１４０、１４０によって付勢されている力によってその前端部が上方へ移動するように回動し、かつ、その押え部１３２、１３２、１３２の下面１３２ｂ、１３２ｂ、１３２ｂがＣＤ−ＲＯＭ９の中心孔９ａの上側開口縁を押圧してＣＤ−ＲＯＭ９をターンテーブル１００のディスク載置面１０１に押し付け、チャッキングが完了する（図１２参照）。
【００５１】
ＣＤ−ＲＯＭ９をターンテーブル１００から取り外すときは、図１２に示すチャッキングされている状態から、ＣＤ−ＲＯＭ９をディスク載置面１０１から離間する方向に移動させる。
【００５２】
すると、ＣＤ−ＲＯＭ９の中心孔９ａの開口縁がチャックフィン１３０、１３０、１３０の押え部１３２、１３２、１３２の下面１３２ｂ、１３２ｂ、１３２ｂを押圧し、これによって、チャックフィン１３０、１３０、１３０はコイルバネ１４０、１４０、１４０を縮設させながらチャックベース１１０内へ引っ込むように移動し、ＣＤ−ＲＯＭ９のディスク載置面１０１から離間する方向への移動を許容する（図１３参照）。
【００５３】
そこで、ＣＤ−ＲＯＭ９をディスク載置面１０１から離間する方向へさらに移動させれば、ＣＤ−ＲＯＭ９をターンテーブル１００から取り外すことができる。
【００５４】
なお、ＣＤ−ＲＯＭ９をターンテーブル１００から取り外すときは、チャックフィン１３０、１３０、１３０は、基部１３１及び押え部１３２の上面１３２ａがチャックベース１１０の上方開口部１２２ａ、１２２ａ、１２２ａに隣接する上面部に当接していて、チャッキング時のように回動することはない。これは、ＣＤ−ＲＯＭ９がターンテーブル１００から離間する方向へ移動するときに、チャックフィン１３０、１３０、１３０が回動してしまうと、ＣＤ−ＲＯＭ９のチャッキング状態が不安定になってしまうからである。
【００５５】
上記した第１の実施の形態にかかるＣＤ−ＲＯＭのチャッキング機構にあっては、コイルバネ１４０の一端部はチャックフィン１３０の基部１３１の後面に形成された位置決め凹部１３１ｃ内に位置されて該一端部の位置決めが為されるので、従来のようにチャックフィンｅに形成された嵌合ピンｈに外嵌されて位置決めされるのに比較して、コイルバネ１４０の径を小さくすることができる。そして、コイルバネ１４０の径を小さくすることができれば、その分、該コイルバネ１４０が配置される空間、すなわち、配置凹部１２０の大きさ、特に、厚み方向の大きさを小さくすることができ、これを使用した装置、上記例では、ＣＤ−ＲＯＭドライブ１の厚みを小さくすることができる。
【００５６】
図１４乃至図２１は本発明記録媒体駆動装置の第２の実施の形態を示すものである。
【００５７】
ターンテーブル２００（上記ＣＤ−ＲＯＭドライブ１におけるターンテーブル１４に相当する。）のディスク載置面２０１の中心部に、厚手の円盤状の外形をしたチャックベース２１０が突設され、該チャックベース２１０の外周面２１１はターンテーブル２００の回転中心を中心とした円に沿う面とされている。
【００５８】
該チャックベース２１０には外周面２１１に開口し奥に延びる配置凹部２２０が周方向に等間隔に離間して３個形成されている。
【００５９】
配置凹部２２０は、下面に凸字状の開口を有し、該凸字状の奥の幅狭の部分２２１が下方及び前方に開口されたバネ受け凹部とされ、幅の広い部分２２２が主凹部とされ、該主凹部２２２の上面はそのほぼ中央の３分の１の部分２２２ａが上方へ開口された上方開口部とされ、該上方開口部２２２ａはチャックベース２１０の外周面２１１にまで達している。上記主凹部２２２の前側に連続した前凹部２２３は上記主凹部２２２の幅と同じ幅を有し、下方が下面壁２２３ａによって閉塞され、上記上方開口部２２２ａによって上方に開口し、その前面開口２２３ｂの形状は横長の矩形の底部の両側が両側に行くに従って上方へ変位する円弧状を為すようにされている。
【００６０】
上記の如き配置凹部２２０内にチャックフィン２３０が摺動自在に配置される。
【００６１】
チャックフィン２３０は正面、すなわち、チャックベース２１０の外周面２１１に向かう方向から見て横長の矩形をした厚手の板状を為す基部２３１と、該基部２３１から前方へ突出した押え部２３２と、上記基部２３１及び押え部２３２の上面の幅方向における中央部に前後に亘って突設された被案内部２３３とが一体に形成されて成る。
【００６２】
上記押え部２３２は、その上面２３２ａが上方から見て基部２３１から前方へ突出した半円状を為し、下面２３２ｂが側方から見て前方へ行くに従って上方へ変位する円弧状を為し、かつ、正面から見て中央が最下端に位置する円弧状を為し、その上面２３２ａは基部２３１の上面と一致し、基部２３１側の下端は基部２３１の下端よりやや上方に位置している。また、下面２３２ｂの前端縁及び左右両端縁は上面２３２ａと一致している。
【００６３】
上記被案内部２３３は、その幅が上記配置凹部２２０の上方開口部２２２ａの幅と同じか僅かに小さく形成され、前端部上面２３３ａは前下がりに傾斜した傾斜面とされ、その前端縁は上記押え部２３２の上面２３２ａに一致している。さらに、該被案内部２３３の後端部は上面から後面にかけて側方から見て円弧状を為す曲面２３３ｂに形成されている。
【００６４】
そして、上記基部２３１の後面には位置決め凹部２３１ａが形成されている。
【００６５】
しかして、上記したチャックフィン２３０がチャックベース２１０の配置凹部２２０内に移動自在に配設される。すなわち、基部２３１が主凹部１２２内において移動自在に配設され、押え部２３２が前凹部２２３を通してその先端部がチャックベース２１０の外周面２１１から突出するように位置され、被案内部２３３が上方開口部２２２ａに摺動自在に係合される。
【００６６】
さらに、弾発部材としてコイルバネ２４０が配置凹部２２０内において配置凹部２２０の奥面とチャックフィン２３０の基部２３１との間で縮設される。該コイルバネ２４０の一端部はチャックフィン２３０の基部２３１の位置決め凹部２３１ａに内嵌状に位置され、他端部は配置凹部２２０のバネ受け凹部２２１内に内嵌状に位置され、これによって、コイルバネ２４０の両端部の位置が安定する。
【００６７】
しかして、チャックフィン２３０にはコイルバネ２４０によって配置凹部２２０から突出する方向への移動力が付勢され、チャックフィン２３０の同方向への移動は、基部２３１の前面が主凹部２２２の前凹部２２３との境界面、すなわち、前凹部２２３の下面壁２２３ａの主凹部２２２側の端面に当接することによって阻止され、この状態で、押え部２３２の先端部がチャックベース２１０の外周面２１１から突出する（図１８参照）。
【００６８】
そして、上記したようにチャックフィン２３０、２３０、２３０及びコイルバネ２４０、２４０、２４０が各配置凹部２２０、２２０、２２０に配置されたチャックベース２１０がターンテーブル２００のディスク載置面２０１の中心部に固定され、これによって、配置凹部２２０、２２０、２２０の下面が閉塞されて、チャックフィン２３０、２３０、２３０及びコイルバネ２４０、２４０、２４０の配置凹部２２０、２２０、２２０からの脱落が防止される。
【００６９】
次に、ＣＤ−ＲＯＭ９のチャッキングについて説明する。
【００７０】
ＣＤ−ＲＯＭ９がその中心孔９ａがチャックベース２１０に位置合せされた状態でターンテーブル２００のディスク載置面２０１に近づくように移動されてくると、中心孔９ａの開口縁がチャックフィン２３０、２３０、２３０の被案内部２３３、２３３、２３３の傾斜面２３３ａ、２３３ａ、２３３ａに当接する（図１９参照）。
【００７１】
ここからさらに、ＣＤ−ＲＯＭ９がディスク載置面２０１に近づくように移動すると、チャックフィン２３０、２３０、２３０には配置凹部２２０、２２０、２２０内へ引っ込む方向への移動力が付勢されるので、チャックフィン２３０、２３０、２３０は配置凹部２２０、２２０、２２０内へ引っ込むように移動して、ＣＤ−ＲＯＭ９の通過を許容する（図２０参照）。これによって、ＣＤ−ＲＯＭ９がディスク載置面２０１に当接する位置まで移動することができる。
【００７２】
そして、ＣＤ−ＲＯＭ９がターンテーブル２００のディスク載置面２０１に当接すると、チャックフィン２３０、２３０、２３０はコイルバネ２４０、２４０、２４０によって付勢されている力によってその前端部が上方へ移動するように回動し、かつ、その押え部２３２、２３２、２３２の下面２３２ｂ、２３２ｂ、２３２ｂがＣＤ−ＲＯＭ９の中心孔９ａの上縁を押圧してＣＤ−ＲＯＭ９をターンテーブル２００のディスク載置面２０１に押し付け、チャッキングが完了する（図２１参照）。
【００７３】
ＣＤ−ＲＯＭ９をターンテーブル２００から取り外すときは、図２１に示すチャッキングされている状態から、ＣＤ−ＲＯＭ９をディスク載置面２０１から離間する方向に移動させる。
【００７４】
すると、ＣＤ−ＲＯＭ９の中心孔９ａの開口縁がチャックフィン２３０、２３０、２３０の押え部２３２、２３２、２３２の下面２３２ｂ、２３２ｂ、２３２ｂを押圧し、これによって、チャックフィン２３０、２３０、２３０はコイルバネ２４０、２４０、２４０を縮設させながらチャックベース２１０内へ引っ込むように移動し、ＣＤ−ＲＯＭ９のディスク載置面２０１から離間する方向への移動を許容する。
【００７５】
そこで、ＣＤ−ＲＯＭ９をディスク載置面２０１から離間する方向へさらに移動させれば、ＣＤ−ＲＯＭ９をターンテーブル２００から取り外すことができる。
【００７６】
上記した第２の実施の形態にかかるＣＤ−ＲＯＭのチャッキング機構にあっては、コイルバネ２４０の一端部はチャックフィン２３０の基部２３１に形成された位置決め凹部２３１ａ内に内嵌状に位置されるので、従来のようにチャックフィンｅに形成された嵌合ピンｈに外嵌されて位置決めされるのに比較して、コイルバネ２４０の径を小さくすることができる。コイルバネ２４０の径を小さくすることができれば、その分、該コイルバネ２４０が配置される空間、すなわち、配置凹部２２０の大きさ、特に、厚み方向の大きさを小さくすることができ、これを使用した装置、上記例では、ＣＤ−ＲＯＭドライブ１の厚みを小さくすることができる。
【００７７】
図２２乃至図２７は第３の実施の形態を示すものである。
【００７８】
ターンテーブル３００（上記ＣＤ−ＲＯＭドライブ１におけるターンテーブル１４に相当する。）のディスク載置面３０１の中心部に、厚手の円盤状の外形をしたチャックベース３１０が突設され、該チャックベース３１０の外周面３１１はターンテーブル３００の回転中心を中心とした円に沿う面とされている。
【００７９】
尚、この第３の実施の形態におけるチャックベース３１０、チャックフィン３３０及びコイルバネ３４０は、何れも上記第２の実施に形態におけるチャックベース２１０、チャックフィン２３０及びコイルバネ２４０と同様のものであり、ただ、チャックフィン２３０とコイルバネ２４０とが一体化されている点で相違する。
【００８０】
該チャックベース３１０には外周面３１１に開口し奥に延びる配置凹部３２０が周方向に等間隔に離間して３個形成されている。
【００８１】
配置凹部３２０は、下面に凸字状の開口を有し、該凸字状の奥の幅狭の部分３２１が下方及び前方に開口されたバネ受け凹部とされ、幅の広い部分３２２が主凹部とされ、該主凹部３２２の上面はそのほぼ中央の３分の１の部分３２２ａが上方へ開口された上方開口部とされ、該上方開口部３２２ａはチャックベース３１０の外周面３１１にまで達している。上記主凹部３２２の前側に連続した前凹部３２３は上記主凹部３２２の幅と同じ幅を有し、下方が下面壁３２３ａによって閉塞され、上記上方開口部３２２ａによって上方に開口し、その前面開口３２３ｂの形状は横長の矩形の底部の両側が円弧状を為すようにされている。
【００８２】
上記の如き配置凹部３２０内にチャックフィン３３０が摺動自在に配置される。
【００８３】
チャックフィン３３０は正面、すなわち、チャックベース３１０の外周面３１１に向かう方向から見て横長の矩形をした厚手の板状を為す基部３３１と、該基部３３１から前方へ突出した押え部３３２と、上記基部３３１及び押え部３３２の上面の幅方向における中央部に前後に亘って突設された被案内部３３３とが熱可塑性合成樹脂により一体に形成されて成る。
【００８４】
上記押え部３３２は、その上面３３２ａが上方から見て基部３３１から前方へ突出した半円状を為し、下面３３２ｂが側方から見て前方へ行くに従って上方へ変位する円弧状を為し、かつ、正面から見て中央が最下端に位置する円弧状を為し、その上面３３２ａは基部３３１の上面と一致し、基部３３１側の下端は基部３３１の下端よりやや上方に位置している。また、下面３３２ｂの前端縁及び左右両端縁は上面３３２ａと一致している。
【００８５】
上記被案内部３３３は、その幅が上記配置凹部３２０の上方開口部３２２ａの幅と同じか僅かに小さく形成され、前端部上面３３３ａは前下がりに傾斜した傾斜面とされ、その前端縁は上記押え部３３２の上面３３２ａに一致している。さらに、該被案内部３３３の後端部は上面から後面にかけて側方から見て円弧状を為す曲面３３３ｂに形成されている。
【００８６】
コイルバネ３４０がチャックフィン３３０の後端部に一体的に結合されている。例えば、コイルバネ３４０の一端部がチャックフィン３３０の基部３３１の後面部中央部に埋設されている。コイルバネ３４０の一端部をチャックフィン３３０の基部３３１に埋設するには、例えば、インサート成形による。すなわち、チャックフィン３３０の成形用金型内にコイルバネ３４０の一端部を挿入しておき、その状態で、チャックフィン３３０の成形用合成樹脂材料を射出することによってチャックフィン３３０とコイルバネ３４０とを一体化することができる。
【００８７】
しかして、上記したチャックフィン３３０とコイルバネ３４０が一体化したものがチャックベース３１０の配置凹部３２０内に配設される。すなわち、チャックフィン３３０の基部３３１が主凹部３２２内において移動自在に配設され、押え部３３２が前凹部３２３を通してその先端部がチャックベース３１０の外周面３１１から突出するように位置され、被案内部３３３が上方開口部３２２ａに摺動自在に係合される。
【００８８】
そして、コイルバネ３４０の他端部が配置凹部３２０のバネ受け凹部３２１内に内嵌状に位置され、これによって、コイルバネ３４０は配置凹部３２０の奥面とチャックフィン３３０との間で縮設された状態となる。このコイルバネ３４０の縮設によって、チャックフィン３３０にその前端が配置凹部３２０の前面開口３２３ｂからチャックベース３１０外へと突出する方向への移動力が付勢される。
【００８９】
そして、上記したようにチャックフィン３３０、３３０、３３０及びコイルバネ３４０、３４０、３４０が各配置凹部３２０、３２０、３２０に配置されたチャックベース３１０がターンテーブル３００のディスク載置面３０１の中心部に固定され、これによって、配置凹部３２０、３２０、３２０の下面が閉塞されて、チャックフィン３３０、３３０、３３０及びコイルバネ３４０、３４０、３４０の配置凹部３２０、３２０、３２０からの脱落が防止される。
【００９０】
そして、ＣＤ−ＲＯＭ９のチャッキング動作及びＣＤ−ＲＯＭ９のターンテーブル３００からの取外しは、上記第２の実施の形態におけると同様に為されるので、その説明は省略する。
【００９１】
上記した第３の実施の形態にかかるＣＤ−ＲＯＭのチャッキング機構にあっては、コイルバネ３４０の一端部はチャックフィン３３０の基部３３１に埋設状に結合されているので、従来のようにチャックフィンｅに形成された嵌合ピンｈに外嵌されて位置決めされるのに比較して、コイルバネ２４０の径を小さくすることができる。コイルバネ２４０の径を小さくすることができれば、その分、該コイルバネ２４０が配置される空間、すなわち、配置凹部２２０の大きさ、特に、厚み方向の大きさを小さくすることができ、これを使用した装置、上記例では、ＣＤ−ＲＯＭドライブ１の厚みを小さくすることができる。
【００９２】
さらに、コイルバネ３４０がチャックフィン３３０に一体化されているので、従来２個であった部品が１個になり、部品管理や、組付の作業が省力化され、コストの低減に寄与する。
【００９３】
尚、上記した各実施の形態においては、本発明をＣＤ−ＲＯＭドライブにおけるＣＤ−ＲＯＭのチャッキング機構として適用したものを示したが、本発明はこのようなものに限らず、例えば、ＣＤ-Ｒ，ＤＶＤ等その他の記録媒体ディスクのチャッキング機構として広く適用することができるものである。
【００９４】
【発明の効果】
以上に記載したところから明らかなように、本発明記録媒体駆動装置は、記録媒体を載置する載置部と、記録媒体を支持するチャッキング機構とを有する記録媒体駆動装置であって、チャッキング機構には、記録媒体に設けられた孔を嵌合支持するチャックベースと、該チャックベースの半径方向に移動自在に設けられた３個以上のチャックフィンと、該チャックフィンの一部がチャックベースの外周面から突出するように弾発付勢する弾発部材とを設け、弾発部材は、チャックベースに設けられチャックフィンをチャックベースの半径方向に移動自在に配置した配置凹部の奥とチャックフィンとの間で縮設されると共に、一方の端部が上記チャックフィンに連結され、記録媒体の孔がチャックベースに位置合せされた状態で載置部に近づくように移動されると、記録媒体の孔の下側開口縁がチャックフィンの被案内部の傾斜面に当接し、さらに、記録媒体が載置部に近づくと、チャックフィンの先端部が下方へ移動するように回動し記録媒体の孔の下側開口縁がチャックフィンの先端部を越えて記録媒体が載置部に当接する位置まで移動し、記録媒体が載置部に当接すると、チャックフィンは弾発部材の付勢力によってチャックフィンの先端部が上方へ移動するように回動し、チャックフィンの押え部の下面が記録媒体の孔の上側開口縁を押圧し記録媒体を載置部に押し付けてチャッキングが完了することを特徴とするものである。
【００９５】
従って、本発明記録媒体駆動装置にあっては、弾発部材の外形を含め、装置の外形が大きくなることがなく、かつ、チャックフィンに構造的に弱くなる部分が生じることがない。また、弾発部材の一方の端部がチャックフィンに連結されているので、部品管理や組付の省力化が可能となりコストの低減に寄与する。
【００９６】
請求項２に記載した発明にあっては、上記弾発部材をコイルバネとしたので、弾発部材の構成が容易となる。
【００９８】
また、請求項３に記載した発明にあっては、弾発部材の一方の端部が、チャックフィンにインサート成形により埋設されているので、部品点数が少なくなり、その分、部品管理や組付の省力化が可能となりコストの低減に寄与する。
【００９９】
そして、請求項５に記載した発明にあっても、部品管理や組付の省力化が可能となりコストの低減に寄与する。
【０１００】
尚、上記した各実施の形態において示した各部の形状及び構造は、何れも本発明を実施するに際して行う具体化のほんの一例を示したものにすぎずこれらによって本発明の技術的範囲が限定的に解釈されることがあってはならないものである。
【図面の簡単な説明】
【図１】  図１乃至図３は本発明記録媒体駆動装置を適用したＣＤ−ＲＯＭの一例を示すものであり、本図は引出部を引き出した状態を示す斜視図である。
【図２】  概略分解斜視図である。
【図３】  ベースユニットを示す拡大平面図である。
【図４】  図５乃至図１３と共に本発明記録媒体駆動装置の第１の実施の形態を示すものであり、本図はＣＤ−ＲＯＭがターンテーブルに載置され始める状態を一部を切り欠いて示す拡大側面図である。
【図５】  １のチャックフィン及びコイルバネを除いた状態で示すチャックベースの平面図である。
【図６】  １のチャックフィン及びコイルバネを除いた状態で示すチャックベースの底面図である。
【図７】  図５のＡ視図である。
【図８】  チャックフィンの拡大斜視図である。
【図９】  チャックフィンの別の方向から見た拡大斜視図である。
【図１０】  チャックフィンの拡大縦断面図である。
【図１１】  ＣＤ−ＲＯＭがチャッキングされる過程を示す一部切欠き拡大側面図であり、本図は図４に続く状態を示すものである。
【図１２】  ＣＤ−ＲＯＭがチャッキングされた状態を示すものである。
【図１３】  ＣＤ−ＲＯＭがターンテーブルから取り外される途中の状態を示す一部切欠き拡大側面図である。
【図１４】  図１５乃至図２１と共に本発明記録媒体駆動装置の第２の実施の形態を示すものであり、本図はチャックフィンと弾発部材の拡大斜視図である。
【図１５】  チャックフィンと弾発部材の拡大縦断面図である。
【図１６】  １のチャックフィン及びコイルバネを除いた状態で示すチャックベースの拡大平面図である。
【図１７】  １のチャックフィン及びコイルバネを除いた状態で示すチャックベースの拡大底面図である。
【図１８】  図１６のＸＶＩＩＩ−ＸＶＩＩＩ線に沿う断面図である。
【図１９】  図２０及び図２１と共にＣＤ−ＲＯＭがチャッキングされる過程を示す一部切欠き拡大側面図であり、本図はＣＤ−ＲＯＭの中心孔がチャックフィンに当接した状態を示すものである。
【図２０】  図１８に続く状態を示すものである。
【図２１】  ＣＤ−ＲＯＭがチャッキングされた状態を示すものである。
【図２２】  図２３乃至図２７と共に本発明記録媒体駆動装置の第３の実施の形態を示すものであり、本図は一部を切り欠いて示す拡大側面図である。
【図２３】  チャックフィンと弾発部材の拡大斜視図である。
【図２４】  チャックフィンと弾発部材の縦断面図である。
【図２５】  １のチャックフィン及びコイルバネを除いた状態で示すチャックベースの拡大平面図である。
【図２６】  １のチャックフィン及びコイルバネを除いた状態で示すチャックベースの拡大底面図である。
【図２７】  図２５のＸＸＶＩＩ−ＸＸＶＩＩ線に沿う断面図である。
【図２８】  図２９及び図３０と共に従来の記録媒体ディスクのチャッキング機構の一例を示す一部を切り欠いた側面図であり、本図は記録媒体ディスクがチャッキングされる前の状態を示すものである。
【図２９】  図２８に続く状態を示すものである。
【図３０】  記録媒体ディスクがチャッキングされた状態を示すものである。
【符号の説明】
９…ＣＤ−ＲＯＭ（記録媒体）、９ａ…孔、１０１…載置部、１１０…チャックベース、１１１…外周面、１２０…配置凹部、１２１…バネ受け凹部（配置凹部の奥）、１３０…チャックフィン、１３２…押え部、１３２ｂ…押え部の下面、１３３…被案内部、１３３ａ…傾斜面、１４０…コイルバネ（弾発部材）、２０１…載置部、２１０…チャックベース、２１１…外周面、２２０…配置凹部、２２１…バネ受け凹部（配置凹部の奥）、２３０…チャックフィン、２３２…押え部、２３２ｂ…押え部の下面、２４０…コイルバネ（弾発部材）、３０１…載置部、３１０…チャックベース、３１１…外周面、３２０…配置凹部、３２１…バネ受け凹部（配置凹部の奥）、３３０…チャックフィン、３３２…押え部、３３２ｂ…押え部の下面、３４０…コイルバネ（弾発部材）
【図１】
0004363678.tif 000002
【図２】
0004363678.tif 000003
【図３】
0004363678.tif 000004
【図４】
0004363678.tif 000005
【図５】
0004363678.tif 000006
【図６】
0004363678.tif 000007
【図７】
0004363678.tif 000008
【図８】
0004363678.tif 000009
【図９】
0004363678.tif 000010
【図１０】
0004363678.tif 000011
【図１１】
0004363678.tif 000012
【図１２】
0004363678.tif 000013
【図１３】
0004363678.tif 000014
【図１４】
0004363678.tif 000015
【図１５】
0004363678.tif 000016
【図１６】
0004363678.tif 000017
【図１７】
0004363678.tif 000018
【図１８】
0004363678.tif 000019
【図１９】
0004363678.tif 000020
【図２０】
0004363678.tif 000021
【図２１】
0004363678.tif 000022
【図２２】
0004363678.tif 000023
【図２３】
0004363678.tif 000024
【図２４】
0004363678.tif 000025
【図２５】
0004363678.tif 000026
【図２６】
0004363678.tif 000027
【図２７】
0004363678.tif 000028
【図２８】
0004363678.tif 000029
【図２９】
0004363678.tif 000030
【図３０】
0004363678.tif 000031